(57)【要約】【課題】ポリアミド樹脂繊維でブラシ毛材が形成されたブラシロールにより、テンパーロールやバックアップロール、ストリップ等を研磨する場合において、相当高温の下でも、良好な研磨成果が得られるのに加え、ブラシ毛材の折れもなくするようにする。【解決手段】調質圧延ロールの研磨や、調質圧延ロールのバックアップロールの研磨、ストリップ等の研磨に充当されるブラシロールのポリアミド樹脂繊維によるブラシ毛材を、ポリノナンメチレン・テレフタルアミド樹脂を主成分とする樹脂繊維で形成し、且つ該樹脂繊維に研磨材粒子を包含させる。【選択図】  なし【特許請求の範囲】
【請求項１】
鋼板の研磨または鋼板製造の圧延ロールや圧延ロールのバックアップロールを研磨するための研磨ブラシロールの毛材であって、ポリノナンメチレン・テレフタルアミド樹脂を主成分とする樹脂繊維で形成され、該樹脂繊維が研磨材粒子を包含していることを特徴とする研磨ブラシロールのブラシ毛材。
【請求項２】
ブラシ毛材がブラシ毛材主体と、該主体周面に繊維を螺旋巻きし或いは組み紐状に編み設け樹脂セットされたカバーリングを具備している請求項１に記載の研磨ブラシロール。
【請求項３】
ブラシ毛材の主体が単一の線条体によるものである請求項２に記載の研磨ブラシロールのブラシ毛材。
【請求項４】
ブラシ毛材主体が複数の線条体の集合体によるものである請求項２に記載の研磨ブラシロールのブラシ毛材。
【請求項５】
鋼板の研磨または鋼板製造の圧延ロールや圧延ロールのバックアップロールを研磨するための研磨ブラシロールであって、ポリノナンメチレン・テレフタルアミド樹脂を主成分とする樹脂繊維で形成され、該樹脂繊維が研磨材粒子を包含しているブラシ毛材を具備することを特徴とする研磨ブラシロール。
【請求項６】
ブラシ毛材がブラシ毛材主体と、該主体周面に繊維を螺旋巻きし或いは組み紐状に編み設け樹脂セットされたカバーリングを具備している請求項５に記載の研磨ブラシロール。
【請求項７】
ブラシ毛材の主体が単一の線条体によるものである請求項５に記載の研磨ブラしロール。
【請求項８】
ブラシ毛材の主体が複数の線条体の集合体によるものである請求項５に記載の研磨ブラシロール。
【発明の詳細な説明】
【技術分野】
【０００１】
本発明は、調質圧延（スキンパス）ロールや調質圧延ロールのバックアップロールのポリッシングに充てるブラシロール、鋼板生産ラインの厚板や薄板等の板（以下、これらを総称してストリップという）の研磨（研削、磨き）に充てるブラシロールのためのポリアミド樹脂を主成分とする樹脂繊維で構成されるブラシ毛材及び当該ブラシロールに関する。
【０００２】
研磨ブラシロールは、研磨される対象体（被研磨体）に押し当てた（圧下した）状態で高速回転させて、被研磨体を研磨する。被研磨体がストリップの場合には、冷却液を噴射しながら被研磨体を研磨する。その研磨において、ブラシロールの毛材は、被研磨体との摩擦による発熱で加熱される。被研磨体が調質圧延ロール、調質圧延ロールのバックアップロールの場合には、冷却液を使用できないので、高い摩擦熱が発生する。
【背景技術】
【０００３】
従来、ブラシ毛材を構成する樹脂繊維には、ナイロン６またはナイロン６６が充てられるのが通常である。これらの樹脂繊維によるブラシ毛材では、調質圧延ロールや調質圧延ロールのバックアップロールを研磨しようとしても、ブラシ毛材が融着してしまい、目的が達成されなかった。
【０００４】
この点を改善したものとして、特開２００３−１６６１２２号の発明がある。この発明のものは、ポリヘキサメチレン・テレフタルアミド樹脂を主成分とする樹脂繊維をブラシ毛材に充て、ブラシ毛材の樹脂繊維を研磨材粒子入りとしており、比較的高温の下でも良好な研磨成果が得られる。しかし、高温での長時間の研磨では、ブラシ毛材の折損が少なくない。この点を具体的に述べると、次の如くである。
【０００５】
被研磨体をブラシロールで研磨した場合、その研磨量はブラシロールの回転が変わらない限り、ブラシロールの圧下の度合いで決まる。ブラシロールは稼働に際して当初、被研磨体に外周面を接触させ（この当初接触を圧下０と称される）、次いで被研磨体に押圧（圧下）して行く。圧下量はmm単位で表し、通常は２〜３mmの圧下（ストリップの場合）で稼働するのが標準である。ところが被研磨面には凹凸があって、これに対処するには、圧下量を５〜６mmにする必要がある。当業者の多くは、ストリップの場合で、研磨不足を補うため、過大圧下（５mm程度）で、ブラシロールを稼働させるのが実状である。このような過大圧下には上記先行開示のものは、対応し得ないし、標準的な圧下でも、ブラシ毛材の折損が少なくない。
【発明の開示】
【発明が解決しようとする課題】
【０００６】
解決しようとする課題は、ポリアミド樹脂繊維でブラシ毛材が形成されたブラシロールで、テンパーロールやバックアップロール、ストリップ等を研磨する場合において、高温の下でも、良好な研磨成果が得られ、且つブラシ毛材の折れをなくする、または上記特開２００３−１６６１２２号のものおけるよりブラシ毛材の折れを相当低減できるようにするにある。
【課題を解決するための手段】
【０００７】
上記課題解決のため本発明は、調質圧延ロールの研磨、調質圧延ロールのバックアップロールの研磨、ストリップの研磨等に用いられるブラシロールのブラシ毛材乃至はブラシブリッスルを、ポリノナンメチレン・テレフタルアミド樹脂を主成分とする樹脂繊維で形成し、且つ該樹脂繊維に研磨材粒子が包含されているものに改変している。
【０００８】
ブラシ毛材は、モノフィラメントヤーン（単一の線条体）で構成してもよく、複数本の集合体（束状に揃えたもの）でもよい。それらの何れにおいても、ブラシ毛材は、ブラシ毛材主体の周面に繊維を螺旋巻きし或いは組み紐状に編み設け樹脂セットして形成したカバーリングを包含するものでもよいし、カバーリングなしのものでもよい。ブラシ毛材主体とは、カバーリングを除くブラシ毛材構成要素のことである。ブラシ毛材主体を単一の線条体で構成する場合、その線条体の直径は通常０．３〜３．０ｍｍ程度であり、複数の線条体の集合体で構成する場合、各線条体の直径は通常０．３〜２．０ｍｍ程度である。ブラシ毛材主体のカバーリングを形成するには、常法に従えばよい。カバーリングを形成する繊維は、従来のブラシ毛材におけるカバーリング繊維と同様のものでよい。
【０００９】
本発明で用いるポリノナンメチレン・テレフタルアミド樹脂は、下記式で表される構造を有するポリアミド樹脂である。
【００１０】
【化１】
2007136594.tif 000002
【００１１】
このポリノナンメチレン・テレフタルアミド樹脂は、ノナンメチレンジアミンとテレフタル酸を基本骨格に有し、高融点である。ブラシ毛材がこの樹脂を用いて形成されたブラシロールは、高い摩擦熱が発生する条件のもとで、被研磨体を研磨しても、ブラシ毛材が融着することがない。また、ガラス転移点が高く、高温例えば６０〜８０℃でも、ブラシ毛材の樹脂繊維が軟らかくならず、研磨能力が殆ど低下しない。しかも、特開２００３−１６６１２２号の発明に係るものにおけると同温、同時間での研磨ではブラシ毛材の折損が、当該先行開示のものの約１０分の１以下に低減された。
【００１２】
本発明において、樹脂繊維を構成する樹脂成分は、ポリノナンメチレン・テレフタルアミド樹脂のみでもよいし、ナイロン６、ナイロン６６等の他のポリアミド樹脂との併用でもよい。他のポリアミド樹脂の使用量は、樹脂成分中の３０重量％以下であることが好ましい。
【００１３】
樹脂繊維を形成するには、例えば上記樹脂成分に研磨材粒子を混入し、通常の溶融押出法により紡糸すればよい。研磨材粒子の粒径は、従来の研磨材粒子入りポリアミド樹脂で形成されたブラシ毛材の研磨材粒子の粒径と同程度でよく、混入量も従来の混入量と同程度でよい。紡糸された繊維は必要に応じ延伸される。
【発明の効果】
【００１４】
以上のように本発明は、ポリアミド樹脂繊維でブラシ毛材が形成されたブラシロールでの、テンパーロールやバックアップロール、ストリップ等の研磨において、高温の下でも良好な研磨成果が得られ、しかもブラシ毛材の折れも上記先行開示のものにおけるより相当低減できる。
【発明を実施するための最良の形態】
【００１５】
本発明の実施形態を図面を参照して、実施例と共に説明する。
【００１６】
本発明の一態様例に係るブラシロールのためのブラシ毛材が図１に示され、他例が図２から図６に示されている。これらの図でブラシ毛材には、下線付きで符号１が付されている。これは符号１がブラシ毛材に総括的に付されていることを表す。ブラシ毛材１は、課題を解決するための手段の項に述べた仕様で形成される。
【００１７】
図１に示すブラシ毛材１は、単一体の線条体によるもので、且つカバーリングなしのものである。図２から図６に示すブラシ毛材１は、ブラシ毛材主体１０と、該ブラシ毛材主体１０に形成されたカバーリング１１を具備するものである。
【００１８】
図２から図４に示すブラシ毛材１は、ブラシ毛材主体１０周面にマルチフィラメントヤーン１１０を螺旋状に巻き付け樹脂セットして、カバーリング１１を形成したものである。図５及び図６に示すブラシ毛材１は、マルチフィラメントヤーン１１０をブラシ毛材主体１０周面に組み紐状に編み設け樹脂セットして、カバーリング１１を形成したものである。
【００１９】
また図２，図５に示すものは、ブラシ毛材主体１０が単一体の線条体であり、図３、図４及び図６に示すものは、ブラシ毛材主体１０が複数の線条体の集合体によるものである。図４に示すものは、複数のブラシ毛材１０のそれぞれにカバーリング１１が形成され、そのカバーリング１１付きの複数線条体の集合体に更にカバーリング１１が形成されている。
【００２０】
図７に、本発明の一態様に係るブラシロールのためのブラッシング部材２の一例として、ブラシデイスク２ａが示されている。ブラシデイスク２ａは、デイスク周縁部にブラシ毛材１を持つ（図７参照）。そのブラシ毛材１は、デイスク２ａ周縁部に穿設した穴２１（図７の一部拡大図である図８参照）に通し、Ｕ字状に折り曲げ、その折り曲げ基部を金属線２２等により緊締されている（図８参照）。デイスク２ａは多数枚を研磨ブラシロールのシャフト３０（図１０）に嵌装し、シャフト３０長さ方向に圧縮、拘束し、且つシャフト３０に駆動的に結合して、研磨ブラシロール３（図１０）とする。
【００２１】
ブラッシング部材は上記の他、Ｃ字形断面の溝形材４１にブラシ毛材１を常法に従い植毛、固定して形成された当業者にチャンネル型と称呼されているタイプのブッラシンッグ部材４（図９）でもよい。このタイプのブラッシング部材４は、ブラシシャフト３０の周面にスパイラル状に巻き付け、適宜の方法で固定して、研磨ブラシロール３とする。
【００２２】
上記ブラッシング部材２、４及びブラシロール３の符号についても、ブラシ毛材１の符号と同様に、下線付きの形で表した。
【００２３】
次に本発明に係る研磨ブラシロールの使用例の幾つかを、図１１から図１４を参照して述べる。図１１が調質圧延（テンパーミル）ロールを研磨（乾式研磨）する例、図１２が調質圧延ロールのバックアップロールを研磨（乾式研磨）する例、図１３がストリップ（鉄板）を乾式研磨する例、図１４がストリップ（鉄板）を湿式研磨する例である。図１１から図１４において、Ｂが研磨ブラシロール、Ｒが調質圧延ロール、ＢＵがバックアップロール、Ｓがストリップ、Ｎが研磨ブラシロールＢによるストリップＳのブラッシング部に冷却水を噴射するノズル乃至スプレーを示す。
【００２４】
調質圧延ロールＲ、バックアップロールＢＵを研磨するブラシロールＢにおけるブラシ毛材においては、樹脂繊維に混入する研磨材粒子の大きさは、１０００＃でもよいし、５００＃でもよい。鉄板を研磨するブラシロールＢにおけるブラシ毛材では、樹脂繊維に混入する研磨材粒子の大きさは、８０＃でよい。
【００２５】
図１１、図１２で、Ｃは研磨ブラシロールＢの集塵器である。集塵器Ｃは、研磨ブラシロールＢの左右両端並びにほぼ全周面の領域を覆うカバーＣ１及び同カバーＣ１に連結された吸引管Ｃ２を包含する。カバーＣ１の先端は、調質圧延ロールＲ、バックアップロールＢＵの近傍まで延びている。集塵器Ｃは、研磨ブラシロールＢの研磨塵を吸引除去し、且つ吸引で生じた気流により研磨ブラシロールＢを冷却する働きもする。
【図面の簡単な説明】
【００２６】
【図１】本発明ブラシ毛材の一実施例を示す斜視図である。
【図２】本発明ブラシ毛材の他の例を示す斜視図である。
【図３】本発明ブラシ毛材の異なる実施例の斜視図である。
【図４】本発明ブラシ毛材の別の例を示す斜視図である。
【図５】本発明ブラシ毛材の更に別の例を示す斜視図である。
【図６】本発明ブラシ毛材の上記と異なる別の例を示す斜視図である。
【図７】本発明で用いるブラッシング部材の一例を示す斜視図である。
【図８】図７に示すブラッシング部材の一部拡大平面図である。
【図９】本発明で用いるブラッシング部材の他例を示す斜視図である。
【図１０】本発明研磨ブラシロールの一例の概要を示す正面図である。
【図１１】本発明研磨ブラシロールの一使用例を示す図である。
【図１２】本発明研磨ブラシロールの他の使用例を示す図である。
【図１３】本発明ブラシロールの別の使用例を示す図である。
【図１４】本発明ブラシロールの更に別の使用例をし示す図である。
【符号の説明】
【００２７】
１    ブラシ毛材
３    ブラシロール
１０  ブラシ毛材主体
１１  カバーリング
【図１】
2007136594.tif 000003
【図２】
2007136594.tif 000004
【図３】
2007136594.tif 000005
【図４】
2007136594.tif 000006
【図５】
2007136594.tif 000007
【図６】
2007136594.tif 000008
【図７】
2007136594.tif 000009
【図８】
2007136594.tif 000010
【図９】
2007136594.tif 000011
【図１０】
2007136594.tif 000012
【図１１】
2007136594.tif 000013
【図１２】
2007136594.tif 000014
【図１３】
2007136594.tif 000015
【図１４】
2007136594.tif 000016